(57)【特許請求の範囲】
【請求項１】
水槽の底壁部に該水槽の周壁部の一辺のみに線状に接する排水用凹部を形成し、前記排水用凹部に円筒形状の収納凹部を形成し、前記排水用凹部の反水槽周壁部側端部を前記収納凹部と同心の円形形状とし、前記排水用凹部を排水蓋で遮蔽し、前記排水蓋の水槽周壁部側端部に前記水槽と前記排水用凹部とを繋ぐ一の開口を前記水槽の周壁部の左右方向に沿って長孔状に形成し、前記排水蓋の前記一の開口と対向する端部に前記水槽と前記排水用凹部とを繋ぐ他の開口を形成し、前記一の開口は前記排水蓋の一端と前記排水用凹部の一端との間に形成される隙間からなり、前記他の開口は貫通孔からなり当該貫通孔の外側側縁に排水口方向に向かって傾斜する排水案内用の傾斜面を形成したことを特徴とする流し台。
【請求項２】
請求項１記載の流し台であって、
前記排水蓋を、水槽の底壁部と面一に取り付けることを特徴とする流し台。
【発明の詳細な説明】
【０００１】
【発明の属する技術分野】
本発明は、調理場や台所に設置される流し台に関するものである。
【０００２】
【従来の技術】
従来から、流し台における排水構造として、特開平４−３３６１３１号に示すもの（以下、第１の従来例という）や、特開平４−１２７１号に示すもの（以下、第２の従来例という）や、特開平４−３２３４２６号に示すもの（以下、第３の従来例という）がある。
【０００３】
第１の従来例は次のように構成されている。すなわち、水槽側方の水槽周壁部に外側に延びるごみ入れ収納用の膨出部を形成し、この膨出部の底面に排水凹部を形成している。そして、このような形状の排水凹部に排水口を開口するとともに、膨出部全体を蓋体で遮蔽し、さらに、蓋体の下端に排水隙間を形成している。このように構成することで、第１の従来例では、排水口を鍋等の被洗浄物で塞ぐことによる排水不良を防止している。
【０００４】
第２の従来例は次のように構成されている。すなわち、鍋等により排水口が塞がれないように、排水凹部を水槽底面の中央部に横長形状に形成したうえで、排水凹部内に排水口を開口している。そして、このような形状の排水凹部を穴の空いた排水蓋で遮蔽している。
【０００５】
第３の従来例は次のように構成されている。すなわち、水槽奥側の水槽周壁部に、外側に伸びるごみ入れ収納用の膨出部を形成し、この膨出部の底面に排水凹部を形成している。そして、この排水凹部に排水口を開口するとともに、水槽底壁部に沿ってスライド自在な排水蓋により、この排水凹部を若干の隙間を空けた状態で遮蔽している。このように構成することで、第３の従来例では、第１の従来例と同様、排水口を鍋等の被洗浄物で塞ぐことによる排水不良を防止している。
【０００６】
【発明が解決しようとする課題】
このように構成された各従来例には、次のような課題がある。すなわち、第１の従来例では、膨出部を形成するために水槽の形状が複雑化している。水槽は一般にプレス加工により形成されるため、膨出部を有するために複雑な形状となった第１の従来例の水槽では、プレス加工用の金型の形状も複雑化して、その分、製造コストがかさんでしまう。また、水槽の形状が複雑化することにより、清掃作業がやりにくくなる。
【０００７】
第２の従来例では、横長形状の排水凹部を排水蓋で遮蔽したとしても、排水蓋が大きなものとなるため、外観上（デザイン上）の見栄えは決して良いものとはならない。
【０００８】
第３の従来例では、第１の従来例と同様、膨出部を形成する分、プレス加工用の金型の形状も複雑化して、その分、製造コストがかさんでしまううえ、清掃作業がやりにくくなる。さらには、ごみ入れを膨出部から取り外した状態で洗浄作業を行う場合において、比較的小さな鍋等の被洗浄物物体が膨出部内に入り込むことが考えられ、そうなると、排水蓋の隙間が塞がれてしまって、排水不良に陥る可能性がある。
【０００９】
したがって、本発明においては、排水機能に優れた流し台を、デザイン上の不都合を生じさせることなく、しかも安価に提供することを目的としている。
【００１０】
【課題を解決するための手段】
本発明は、次のような手段によって、上述した課題の解決を達成している。
【００１１】
請求項１に係る本発明では、水槽の底壁部に該水槽の周壁部の一辺のみに線状に接する排水用凹部を形成し、前記排水用凹部に円筒形状の収納凹部を形成し、前記排水用凹部の反水槽周壁部側端部を前記収納凹部と同心の円形形状とし、前記排水用凹部を排水蓋で遮蔽し、前記排水蓋の水槽周壁部側端部に前記水槽と前記排水用凹部とを繋ぐ一の開口を前記水槽の周壁部の左右方向に沿って長孔状に形成し、前記排水蓋の前記一の開口と対向する端部に前記水槽と前記排水用凹部とを繋ぐ他の開口を形成し、前記一の開口は前記排水蓋の一端と前記排水用凹部の一端との間に形成される隙間からなり、前記他の開口は貫通孔からなり当該貫通孔の外側側縁に排水口方向に向かって傾斜する排水案内用の傾斜面を形成している。
【００１３】
請求項２に係る本発明は、請求項１の流し台において、前記排水蓋を、水槽の底壁部と面一に取り付けている。
【００１４】
【発明の実施の形態】
以下、本発明の一実施の形態を図面を参照して詳細に説明する。
【００１５】
図１は、本発明の一実施の形態の流し台の平面図であり、図２は図１の要部の拡大図であり、図３は図２のＡ−Ａ線断面図であり、図４は要部の斜視図である。
【００１６】
この流し台は、矩形状をした水槽１を有しており、さらには水槽１の底壁部１ａに排水用凹部２を有している。排水用凹部２は、底壁部１ａの一部を一段低く押し出し成形することで形成されている。排水用凹部２の一端２ａは直線状をなしており、この一端２ａが水槽１の周壁部（図では、例として左側面側の周壁部）１ｂに接触している。このように構成されることで、排水用凹部２は、水槽１の周壁部１ｂに線状に接して配置されている。
【００１７】
排水用凹部２の中央部には、ごみ入れ容器α（図３参照）を収納する収納凹部３が形成されている。収納凹部３は円筒形状をしており、その底面には排水口４が開口している。排水用凹部２の上端と底壁部１ａとの間には段部５が形成されている。段部５は、排水用凹部の一端２ａを除いて排水用凹部２の上端全周にわたって形成されている。また、収納凹部３と排水用凹部２との間にも段部６が形成されている。なお、本実施の形態の各図においては、排水用凹部２の他端２ｂは収納凹部３と同心の円形形状としているが、方形形状といった他の形状であってもよいのはいうまでもない。
【００１８】
このように構成された排水用凹部２上に排水蓋７が載置されている。排水蓋７は樹脂、金属等の板材からなっており、段部５の外周に沿った形状を有して段部５上に載置されている。周壁部１ｂ側に位置する排水蓋７の一端７ａは、排水用凹部２の一端２ａと同様、直線状をしている。底壁部１ａ側に位置する排水蓋７の他端７ｂは、排水用凹部２の他端２ｂに嵌まり込むよう、他端２ｂと同等の形状を有している。しかしながら、排水蓋７の幅寸法Ｈ１（図３参照）は、排水用凹部２の幅寸法Ｈ２（図３参照）より若干、短寸に（例えば、３０ｍｍ程度短く）設定されている。そのため、他端７ｂを他端２ｂに添わせた状態で、排水蓋７を排水用凹部２上に載置すると、排水用凹部２の他端２ｂは排水蓋７によりほぼ遮蔽されるが、排水蓋７の一端７ａと排水用凹部２の一端２ａとの間には、幅寸法Ｈ３（＝Ｈ２−Ｈ１：図３参照）の隙間が形成されることになる。本実施の形態では、この隙間から開口８を構成している。このように構成された開口８は、水槽１の周壁部１ｂの左右方向に沿って長孔状に形成されることになる。
【００１９】
排水蓋７は下方に延出する脚部７ｃを有している。脚部７ｃは、排水用凹部２内に排水蓋７を取り付けて固定するために設けられている。そのため、脚部７ｃは、排水蓋７が段部５上に載置された状態で、段部６に嵌まり込む位置に設けられており、かつ、段部６の底部に達する長さを有している。このように構成された脚部７ｃを段部６に嵌め込むことで、排水蓋７は、排水用凹部２内で所定の位置（排水蓋７の他端７ｂが排水用凹部２の他端２ｂに添って配置されて隙間８が確実に形成されるとともに、排水蓋７の周縁が段部５に当接する位置）に取り付けられるようになっている。
【００２０】
排水蓋７の他端７ｂには、水槽１と排水用凹部２とを繋ぐ貫通孔が形成されており、本実施の形態では、この貫通孔から他の開口９が形成されている。開口９は、長孔状をしており、排水蓋７の一端７ａと平行に形成されている。開口９の外側側縁（排水蓋７の縁側に位置する側縁）は、下向きに屈曲成形されており、この屈曲片の上面が排水案内用の傾斜面１０を形成している。
【００２１】
また、排水蓋７は、段部５の高さと同等の厚みを有しており、排水蓋７が排水用凹部２上に載置されると、排水蓋７と底壁部１ａとは面一となる。そのため、排水蓋７を取り付けても、水槽１に対して外観上の（デザイン的）違和感を抱かせることもない。また、図中符号１１は、水槽１に設けられた水栓である。
【００２２】
本実施の形態では、開口８を、排水蓋７と排水用凹部２の一端２ａとの間に形成した隙間から構成したが、開口８は、このような隙間に限定されるものではなく、排水蓋８に形成した貫通孔から構成してもよいのはいうまでもない。同様に、本実施の形態では、開口９を排水蓋８に形成した貫通孔から構成したが、開口９を排水蓋７と排水用凹部２の他端２ｂとの間に形成した隙間から構成してもよいのはいうまでもない。
【００２３】
以上の構成を備えた流し台では、排水用凹部２の形成位置が従前のものと若干異なる（水槽１の周壁部１ｂ寄りになる）ものの、水槽１の構造自体は、従前のものとほとんど変わりがない。そのため、流し台を製造する際に用いられるプレス加工用の金型が従前のものに比べて複雑化して、その分、製造コストが上昇するといった不都合は生じない。
【００２４】
以上の構成を備えた流し台において、鍋・食器等の被洗浄物の洗浄を行う場合、洗浄により生じる水槽１内の洗浄水は、通常、開口８，９の両方を通じて、排水口４に排水されることになる。このとき、水槽１の中央部から排水用凹部２に向かって流れてきた洗浄水は、まず、開口９から排水される。開口９で排水しきれなかった洗浄水がさら水槽１の周壁部１ｂに向かって流れていく。従前の流し台では、周壁部１ｂに向かって流れてきた洗浄水は周壁部１ｂではね返って水槽１中央部に戻ってしまい、排水効率は悪化させる要因になっている。しかしながら、本実施の形態の流し台では、周壁部１ｂに達した洗浄水は、開口８で受け止められて排水されるため、水槽１中央部に戻って排水効率を悪化させることが起きにくくなっている。
【００２５】
一方、図１に示すように、洗浄中、排水用凹部２上に鍋等の被洗浄物βが載置された場合、開口９は、被洗浄物βにより塞がれて排水不能になってしまう。しかしながら、流し台で洗浄される鍋等の被洗浄物βはその外形形状が曲線から構成されるものが多く、このような形状を備えた被洗浄物βが水槽１の周壁部１ｂに対して周壁部１ｂの左右方向に沿って線状に接触することはまず起きない。そのため、開口９が被洗浄物βによって塞がれてしまうという事態になったとしても、周壁部１ｂの左右方向に沿って比較的長い穴状に形成された開口８全体が被洗浄物βによって塞がれることは起きず、開口８の少なくとも一部が塞がれることなく水槽１と排水用凹部２とを繋ぐことになり、排水は空いている開口８を介して継続されることになる。
【００２６】
このように、本実施の形態の流し台では、水槽１の底壁部１ａに排水用凹部２を大きく形成しなくても確実に排水を行うことができる。排水用凹部２は、できるだけ小さく設計する方が外観上（デザイン上）すっきりしたものとなる。そのため、排水用凹部２の大きさを小さく設計できる本実施の形態の流し台では、デザイン的にも優れたものとなる。
【００２７】
さらには、水槽１の形状が複雑化することなく矩形状のままであるので、水槽１の清掃も容易に行うことができる。
【００２８】
【発明の効果】
以上のように本発明によれば、排水機能を高めることができた。しかも、排水機能の向上を水槽の構造を複雑化させることなく達成できたので、製造コストの抑圧と、水槽の清掃の容易化とを合わせて達成することができた。さらには、排水機能の向上を排水用凹部の大型化を招くことなく達成できたので、外観上、デザイン上も優れたものとすることができた。しかも、排水蓋を、水槽の底壁部と面一に取り付ければ、外観上、デザイン上、さらに優れたものとすることができる。
【図面の簡単な説明】
【図１】本発明の一実施の形態に係る流し台の平面図である。
【図２】図１の要部拡大図である。
【図３】図２のＡ−Ａ線断面図である。
【図４】一実施の形態の流し台の要部斜視図である。
【符号の説明】
１      水槽                        １ａ    底壁部
１ｂ    周壁部                      ２      排水用凹部
２ａ    排水用凹部一端              ２ｂ    排水用凹部の他端
３      収納凹部                    ４      排水口
７      排水蓋                      ８      開口
９      開口
【図１】
0003893690.tif 000002
【図２】
0003893690.tif 000003
【図３】
0003893690.tif 000004
【図４】
0003893690.tif 000005